(57)【要約】【課題】  本発明は、粘着性のある搬送物でも目詰まりを起こすことがなく、また、異物の噛み込みが少なく、しかも、バースクリーン自体の動力が不要になる摺動式バースクリーン及びこれを用いた搬送選別装置を提供する。【解決手段】  異物が混入している搬送中の粉粒状の搬送物から異物を除去する摺動式バースクリーン１であって、複数の長尺状のスクリーンバー１′を搬送物の搬送方向に沿う姿勢で且つ搬送物の搬送方向と直交する水平方向に所定の間隔を空けて並設したバースクリーン１１と、前記バースクリーン１１の各スクリーンバー１１′をガタツキを持たせた状態で支持するスクリーン支持手段１２とを少なくとも備え、異物を含む粉粒状の搬送物が前記バースクリーン１１の各スクリーンバー１１′上を搬送される。【選択図】      図５
2020033801.tif 000002
【特許請求の範囲】
【請求項１】
異物が混入している搬送中の粉粒状の搬送物から異物を除去する摺動式バースクリーンであって、複数の長尺状のスクリーンバーを搬送物の搬送方向に沿う姿勢で且つ搬送物の搬送方向と直交する水平方向に所定の間隔を空けて並設したバースクリーンと、前記バースクリーンの各スクリーンバーをガタツキを持たせた状態で支持するスクリーン支持手段とを少なくとも備え、異物を含む粉粒状の搬送物が前記バースクリーンの各スクリーンバー上を搬送されることを特徴とする摺動式バースクリーン。
【請求項２】
前記バースクリーンは、各スクリーンバーの上面にそれぞれ設けられて異物の噛み込みを防止する案内板を備えており、前記各案内板は、平面形状が長尺状の三角形状を呈し、バースクリーンの上流側から下流側に向けて漸次細くなる形状としたことを特徴とする請求項１に記載の摺動式バースクリーン。
【請求項３】
前記スクリーン支持手段は、バースクリーンの各スクリーンバーに所定の間隔を空けてそれぞれ形成した二つの貫通穴に遊嵌状態で挿通され、各スクリーンバーを支持する水平姿勢の二本の支持軸と、前記二本の支持軸の少なくとも各スクリーンバー間に位置する部分にそれぞれ遊嵌状態で嵌合され、各スクリーンバーの設置間隔よりも短い複数のパイプ状のスペーサとを備えており、各スクリーンバーを二本の支持軸に沿って所定の距離だけ移動可能としたことを特徴とする請求項１に記載の摺動式バースクリーン。
【請求項４】
前記バースクリーンの各スクリーンバー及び前記各スペーサを二本の支持軸から取り外し可能としたことを特徴とする請求項３に記載の摺動式バースクリーン。
【請求項５】
前記摺動式バースクリーンは、前記バースクリーン及び前記スクリーン支持手段を収容支持し、バースクリーンの各スクリーンバー間から落下した搬送物を排出する搬送物用排出口と、バースクリーンの下流側端から落下した異物を排出する異物用排出口とを有するバースクリーン用ケーシングを更に備えていることを特徴とする請求項１に記載の摺動式バースクリーン。
【請求項６】
異物が混入している粉粒状の搬送物を搬送するフライトコンベヤと、前記フライトコンベヤのケーシングの底板の一部を切り欠いた箇所に設置された請求項１〜４の何れかに記載の摺動式バースクリーンとを備え、前記摺動式バースクリーンの各スクリーンバーの上面がフライトコンベヤのケーシングの底板を切り欠いた位置に配置され、各スクリーンバーの上面をフライトコンベヤのフライトが摺動する構成としたことを特徴とする搬送選別装置。
【請求項７】
異物が混入している粉粒状の搬送物を搬送する傾斜状のシュートと、前記傾斜状のシュートの底板の一部を切り欠いた箇所に設置された請求項１〜４の何れかに記載の摺動式バースクリーンとを備え、前記摺動式バースクリーンの各スクリーンバーの上面が傾斜状のシュートの底板を切り欠いた位置に配置され、各スクリーンバーの上面を搬送物が自重により滑り落ちる構成としたことを特徴とする搬送選別装置。
【請求項８】
前記フライトコンベヤは、下流側端部が上流側端部よりも高くなる傾斜姿勢で設置され、また、前記摺動式バースクリーンの各スクリーンバーは、フライトコンベヤのケーシングの下流側端部の底板を切り欠いた箇所に配置される傾斜部と、傾斜部の上流側端部に下向きに連設された上流側垂直部と、傾斜部の下流側端部に下向きに連設されて上流側垂直部よりも長い下流側垂直部と備え、前記上流側垂直部の下端部及び下流側垂直部の下端部にそれぞれスクリーン支持手段を設けたことを特徴とする請求項６に記載の摺動式バースクリーン。
【請求項９】
前記摺動式バースクリーンは、前記バースクリーン及び前記スクリーン支持手段を収容支持し、バースクリーンの各スクリーンバー間から落下した搬送物を排出する搬送物用排出口と、バースクリーンの下流側端から落下した異物を排出する異物用排出口とを有するバースクリーン用ケーシングを更に備え、前記バースクリーン用ケーシングは、フライトコンベヤのケーシングの底板の一部を切り欠いた箇所の下方位置にフライトコンベヤのケーシングと縁を切った状態で設置されていることを特徴とする請求項６に記載の摺動式バースクリーン。
【請求項１０】
前記摺動式バースクリーンは、前記バースクリーン及び前記スクリーン支持手段を収容支持し、バースクリーンの各スクリーンバー間から落下した搬送物を排出する搬送物用排出口と、バースクリーンの下流側端から落下した異物を排出する異物用排出口とを有するバースクリーン用ケーシングを更に備え、前記バースクリーン用ケーシングは、傾斜状のシュートの底板の一部を切り欠いた箇所の下方位置に傾斜状のシュートと縁を切った状態で設置されていることを特徴とする請求項７に記載の摺動式バースクリーン。
【発明の詳細な説明】
【技術分野】
【０００１】
本発明は、金属類や岩石、陶器片等の異物が混入している粉粒状の搬送物、例えば、ごみ焼却炉から排出された焼却灰から異物を除去する摺動式バースクリーン及びこれを用いた搬送選別装置に係り、特に、異物が混入している焼却灰を搬送するフライトコンベヤや傾斜状のシュートに設置されて焼却灰中の大きな異物を除去する摺動式バースクリーン及びこれを用いた搬送選別装置に関するものである。
【背景技術】
【０００２】
都市ごみや産業廃棄物等のごみを焼却処理するストーカ式焼却炉や流動層式焼却炉等のごみ焼却炉を備えたごみ処理施設においては、ごみ焼却炉から排出された焼却灰を資源化して再利用することが行われている。例えば、ごみ焼却炉から排出された焼却灰をセメント原料として再利用することが行われている。
【０００３】
ところで、都市ごみや産業廃棄物等のごみを、破砕処理や選別処理等の前処理を施さずにごみ焼却炉で焼却処理した場合、ごみ焼却炉から排出される焼却灰中に金属類（針金、金属パイプ、金属板等）、岩石、陶器片、コンクリート片等の異物が多く混入している。
【０００４】
そのため、異物が混入している焼却灰を再資源化する際には、焼却灰中の異物が再資源化処理装置内で詰まって再資源化処理装置の故障の原因となるので、焼却灰中の異物を除去する必要がある。特に、焼却灰中に含まれている大きな異物を除去する必要がある。
【０００５】
従来、焼却灰中の異物を除去する方法としては、主に下記の方法が用いられて来た。
（ａ）シュート内にバースクリーン若しくは格子状のスクリーンを設置し、シュート内を    落下して来た焼却灰中の異物をバースクリーン若しくは格子状のスクリーンで捕捉す    る方法（例えば、特許文献１の図３及び図４）。
（ｂ）ケーシング内に設置した振動スクリーン上に焼却灰を供給し、振動する振動スク      リーンによって、異物以外の焼却灰を振動スクリーンからふるい落とす方法（例え      ば、特許文献２〜５）。
（ｃ）スクリーン状の円筒回転体（トロンメル）の中に焼却灰を供給し、円筒回転体を回    転させることによって、異物以外の焼却灰を円筒回転体からふるい落とす方法（例え    ば、特許文献６〜８）。
【０００６】
しかしながら、バースクリーンや格子状のスクリーン、振動スクリーン、円筒回転体（トロンメル）を用いて焼却灰中の異物を除去する場合には、次のような問題が発生していた。
（１）固定式のバースクリーンや格子状のスクリーンの場合、冷却水により冷却された      湿った焼却灰（湿灰）のように、焼却灰に粘着性があると、バースクリーンや格子状    のスクリーンが目詰まりを引き起こす。
（２）バースクリーンや格子状のスクリーン等で捕捉した針金等の異物がスクリーン等に    絡みついた場合、捕捉した異物の除去作業が困難となる。
（３）高温の焼却灰から異物を除去する場合、バースクリーンや格子状のスクリーン等で    捕捉した異物も高温になっているので、捕捉した異物の除去作業に危険を伴う。
（４）振動スクリーンやスクリーン状の円筒回転体（トロンメル）は、振動スクリーンや    円筒回転体を動かすための動力が必要になる。
（５）振動スクリーンは、振動機器のため、機器騒音が大きい。
（６）振動スクリーンは、振動機器のため、機械の消耗が激しくて維持管理費が高額にな    る。
（７）スクリーン状の円筒回転体（トロンメル）は、回転機器のため、機械の消耗が激し    くて維持管理費が高額になる。
【０００７】
このように、焼却灰中の異物の除去に固定式のバースクリーンや格子状のスクリーン、振動スクリーン、スクリーン状の円筒回転体（トロンメル）を用いると、上述した（１）〜（７）に示すような問題を引き起こすことになる。
【先行技術文献】
【特許文献】
【０００８】
【特許文献１】特開２００３−０７１４０５号公報
【特許文献２】特開平１１−２２６５０４号公報
【特許文献３】特開２００７−０２１４３２号公報
【特許文献４】特開２００８−１６８２０８号公報
【特許文献５】特開２０１５−０６６５００号公報
【特許文献６】特開昭６０−２４１９７５号公報
【特許文献７】特開２０００−１６７４８７号公報
【特許文献８】特開２００４−２９８７３０号公報
【発明の概要】
【発明が解決しようとする課題】
【０００９】
本発明は、このような問題点に鑑みて為されたものであり、その目的は、粘着性のある搬送物（例えば、湿った焼却灰）でも目詰まりを起こすことがなく、また、異物の噛み込みが少なく、しかも、バースクリーン自体の動力が不要になる摺動式バースクリーン及びこれを用いた搬送選別装置を提供することにある。
【課題を解決するための手段】
【００１０】
上記目的を達成するために、本発明の請求項１に記載の摺動式バースクリーンは、異物が混入している搬送中の粉粒状の搬送物から異物を除去する摺動式バースクリーンであって、複数の長尺状のスクリーンバーを搬送物の搬送方向に沿う姿勢で且つ搬送物の搬送方向と直交する水平方向に所定の間隔を空けて並設したバースクリーンと、前記バースクリーンの各スクリーンバーをガタツキを持たせた状態で支持するスクリーン支持手段とを少なくとも備え、異物を含む粉粒状の搬送物が前記バースクリーンの各スクリーンバー上を搬送されることに特徴がある。
【００１１】
本発明の請求項２に記載の摺動式バースクリーンは、請求項１に記載の摺動式バースクリーンにおいて、前記バースクリーンは、各スクリーンバーの上面にそれぞれ設けられて異物の噛み込みを防止する案内板を備えており、前記各案内板は、平面形状が長尺状の三角形状を呈し、バースクリーンの上流側から下流側に向けて漸次細くなる形状としたことに特徴がある。
【００１２】
本発明の請求項３に記載の摺動式バースクリーンは、請求項１に記載の摺動式バースクリーンにおいて、前記スクリーン支持手段は、バースクリーンの各スクリーンバーに所定の間隔を空けてそれぞれ形成した二つの貫通穴に遊嵌状態で挿通され、各スクリーンバーを支持する水平姿勢の二本の支持軸と、前記二本の支持軸の少なくとも各スクリーンバー間に位置する部分にそれぞれ遊嵌状態で嵌合され、各スクリーンバーの設置間隔よりも短い複数のパイプ状のスペーサとを備えており、各スクリーンバーを二本の支持軸に沿って所定の距離だけ移動可能としたことに特徴がある。
【００１３】
本発明の請求項４に記載の摺動式バースクリーンは、請求項３に記載の摺動式バースクリーンにおいて、前記バースクリーンの各スクリーンバー及び前記各スペーサを二本の支持軸から取り外し可能としたことに特徴がある。
【００１４】
本発明の請求項５に記載の摺動式バースクリーンは、請求項１に記載の摺動式バースクリーンにおいて、前記摺動式バースクリーンは、前記バースクリーン及び前記スクリーン支持手段を収容支持し、バースクリーンの各スクリーンバー間から落下した搬送物を排出する搬送物用排出口と、バースクリーンの下流側端から落下した異物を排出する異物用排出口とを有するバースクリーン用ケーシングを更に備えていることに特徴がある。
【００１５】
本発明の請求項６に記載の搬送選別装置は、異物が混入している粉粒状の搬送物を搬送するフライトコンベヤと、前記フライトコンベヤのケーシングの底板の一部を切り欠いた箇所に設置された請求項１〜４の何れかに記載の摺動式バースクリーンとを備え、前記摺動式バースクリーンの各スクリーンバーの上面がフライトコンベヤのケーシングの底板を切り欠いた位置に配置され、各スクリーンバーの上面をフライトコンベヤのフライトが摺動する構成としたことに特徴がある。
【００１６】
本発明の請求項７に記載の搬送選別装置は、異物が混入している粉粒状の搬送物を搬送する傾斜状のシュートと、前記傾斜状のシュートの底板の一部を切り欠いた箇所に設置された請求項１〜４の何れかに記載の摺動式バースクリーンとを備え、前記摺動式バースクリーンの各スクリーンバーの上面が傾斜状のシュートの底板を切り欠いた位置に配置され、各スクリーンバーの上面を搬送物が自重により滑り落ちる構成としたことに特徴がある。
【００１７】
本発明の請求項８に記載の搬送選別装置は、請求項６に記載の搬送選別装置において、前記フライトコンベヤは、下流側端部が上流側端部よりも高くなる傾斜姿勢で設置され、また、前記摺動式バースクリーンの各スクリーンバーは、フライトコンベヤのケーシングの下流側端部の底板を切り欠いた箇所に配置される傾斜部と、傾斜部の上流側端部に下向きに連設された上流側垂直部と、傾斜部の下流側端部に下向きに連設されて上流側垂直部よりも長い下流側垂直部と備え、前記上流側垂直部の下端部及び下流側垂直部の下端部にそれぞれスクリーン支持手段を設けたことに特徴がある。
【００１８】
本発明の請求項９に記載の搬送選別装置は、請求項６に記載の搬送選別装置において、前記摺動式バースクリーンは、前記バースクリーン及び前記スクリーン支持手段を収容支持し、バースクリーンの各スクリーンバー間から落下した搬送物を排出する搬送物用排出口と、バースクリーンの下流側端から落下した異物を排出する異物用排出口とを有するバースクリーン用ケーシングを更に備え、前記バースクリーン用ケーシングは、フライトコンベヤのケーシングの底板の一部を切り欠いた箇所の下方位置にフライトコンベヤのケーシングと縁を切った状態で設置されていることに特徴がある。
【００１９】
本発明の請求項１０に記載の搬送選別装置は、請求項７に記載の搬送選別装置において、前記摺動式バースクリーンは、前記バースクリーン及び前記スクリーン支持手段を収容支持し、バースクリーンの各スクリーンバー間から落下した搬送物を排出する搬送物用排出口と、バースクリーンの下流側端から落下した異物を排出する異物用排出口とを有するバースクリーン用ケーシングを更に備え、前記バースクリーン用ケーシングは、傾斜状のシュートの底板の一部を切り欠いた箇所の下方位置に傾斜状のシュートと縁を切った状態で設置されていることに特徴がある。
【発明の効果】
【００２０】
本発明の摺動式バースクリーンは、バースクリーンを形成する複数のスクリーンバーをスクリーン支持手段によりガタツキを持たせた状態で支持しているため、異物が混入している粘着性のある搬送物、例えば、湿った焼却灰をバースクリーン上で搬送しても、バースクリーンにガタツキを持たせているので、バースクリーンに固着した焼却灰が成長する前に剥離され、バースクリーンの目詰まりを防止することができ、自浄機能を有することになる。
【００２１】
また、本発明の摺動式バースクリーンは、各スクリーンバーの上面に異物の噛み込みを防止する案内板をそれぞれ設け、当該案内板をバースクリーンの上流側から下流側に向けて漸次細くなる平面形状が長尺状の三角形状としているため、バースクリーンのスクリーンバー間の間隔が上流側から下流側に行くに従って漸次広くなり、しかも、バースクリーンにガタツキを持たせているので、搬送物中の異物がスクリーンバー間に挟まったとしても、異物が下流側へ押されることによって、スクリーンバー間から簡単に抜けることになり、異物の噛み込みが少なくなる。
【００２２】
更に、本発明の摺動式バースクリーンは、バースクリーンを形成する複数のスクリーンバーと、各スクリーンバーにガタツキを持たせる筒状のスペーサとを支持軸から取り外し可能としているため、スクリーンバーの数量及びスペーサの寸法を変更することによって、目開き寸法（隣接するスクリーンバー間の間隔）を任意に調整することができると共に、目開き寸法の調整も容易に行うことができる。また、各スクリーンバーも支持軸に固定していないので、交換も容易に行うことができる。
【００２３】
本発明の搬送選別装置は、異物が混入している粉粒状の搬送物を搬送するフライトコンベヤと、前記フライトコンベヤのケーシングの底板の一部を切り欠いた箇所に設置された上述の摺動式バースクリーンとを備え、前記摺動式バースクリーンの各スクリーンバーの上面がフライトコンベヤのケーシングの底板を切り欠いた位置に配置され、各スクリーンバーの上面をフライトコンベヤのフライトが摺動する構成としているため、従来の振動スクリーンやトロンメルのようにそれ自体を動かす動力を必要とすることがなく、摺動式バースクリーン自体の動力が不要になる。
【００２４】
また、本発明の搬送選別装置は、異物が混入している粉粒状の搬送物を搬送する傾斜状のシュートと、前記シュートの底板の一部を切り欠いた箇所に設置された上述の摺動式バースクリーンとを備え、前記摺動式バースクリーンの各スクリーンバーの上面が傾斜状のシュートの底板を切り欠いた位置に配置され、各スクリーンバーの上面を搬送物が自重により滑り落ちる構成としているため、従来の振動スクリーンやトロンメルのようにそれ自体を動かす動力を必要とすることがなく、摺動式バースクリーン自体の動力が不要になる。
【００２５】
更に、本発明の搬送選別装置は、フライトコンベヤを下流側端部が上流側端部よりも高くなる傾斜姿勢で設置され、また、前記摺動式バースクリーンの各スクリーンバーが、フライトコンベヤのケーシングの下流側端部の底板を切り欠いた箇所に配置される傾斜部と、傾斜部の上流側端部に下向きに連設された上流側垂直部と、傾斜部の下流側端部に下向きに連設されて上流側垂直部よりも長い下流側垂直部と備え、前記上流側垂直部の下端部及び下流側垂直部の下端部にそれぞれスクリーン支持手段を設けているため、スクリーンバー間から落ちかかっている状態でフライトにより搬送されている異物であっても、スクリーン支持手段の支持軸に引っ掛かることなく、バースクリーンの下流側端から落下排出される。
【００２６】
更に、本発明の搬送選別装置は、摺動式バースクリーンがバースクリーン及びスクリーン支持手段を収容支持するバースクリーン用ケーシングを更に備え、当該バースクリーン用ケーシングがフライトコンベヤのケーシング又は傾斜状のシュートと縁を切った状態で設置されているため、バースクリーン用ケーシングを振動機で振動させることが可能となり、異物の除去をより効率的に行うことが可能となる。
【図面の簡単な説明】
【００２７】
【図１】本発明の実施形態に係る摺動式バースクリーンを用いた搬送選別装置の概略正面図である。
【図２】搬送選別装置を構成するフライトコンベヤの縦断面図である。
【図３】搬送選別装置の要部の正面図である。
【図４】搬送選別装置を構成する摺動式バースクリーンの縦断面図である。
【図５】摺動式バースクリーン（バースクリーン用ケーシングは図示省略）の斜視図である。
【図６】バースクリーンを支持するスクリーン支持手段の縦断面図である。
【図７】バースクリーンを構成するスクリーンバーの平面図である。
【図８】同じくスクリーンバーの正面図である。
【図９】本発明の実施形態に係る摺動式バースクリーンを用いた搬送選別装置の他の例を示す要部の概略縦断面図である。
【発明を実施するための形態】
【００２８】
以下、本発明の一実施形態を図面に基づいて詳細に説明する。
【００２９】
図１は本発明の実施形態に係る摺動式バースクリーン１を用いた搬送選別装置Ａを示し、当該搬送選別装置Ａは、金属類や岩石、陶器片等の異物が混入している粉粒状の搬送物を搬送しながら、搬送物中の大きな異物を除去するものである。
【００３０】
本実施形態においては、粉粒状の搬送物は、ごみ焼却炉から排出されて冷却水により冷却された異物ｂを含む粘着性のある焼却灰ａ（湿灰）としている。
【００３１】
尚、粉粒状の搬送物は、焼却灰ａに限定されるものではなく、金属類や岩石等の異物ｂが混入している土砂であっても良く、粉粒状を呈して異物ｂが混入しているものであれば良い。
【００３２】
前記搬送選別装置Ａは、図１〜図４に示す如く、ごみ焼却炉から排出されて異物ｂが混入している焼却灰ａを低所側から高所側へ搬送するフライトコンベヤ２と、フライトコンベヤ２のケーシング３の下流側底板３ｅ（高所側底板３ｅ）の一部を切り欠いた箇所（焼却灰ａ及び異物ｂの排出口３ｄ）の下方位置に設置され、異物ｂが混入している搬送中の焼却灰ａから異物ｂを除去する摺動式バースクリーン１とを備えており、摺動式バースクリーン１の各スクリーンバー１１′の上面がフライトコンベヤ２のケーシング３の底板３ｅを切り欠いた位置に配置され、各スクリーンバー１１′の上面をフライトコンベヤ２のフライト９が摺動する構成となっている。
【００３３】
前記フライトコンベヤ２は、図１及び図２に示す如く、断面形状が矩形の長尺状のケーシング３と、ケーシング３の一端部内方に回転自在に設けた駆動スプロケット４と、ケーシング３の他端部内方に回転自在に設けた従動スプロケット５と、駆動スプロケット４及び従動スプロケット５に巻き回された対向する一対の無端状のチェーン６と、駆動スプロケット４を回転駆動するモータ７及び伝動機構８と、一対のチェーン６に一定間隔ごとに取り付けられ、ケーシング３内に投入された焼却灰ａを掻き取るように搬送する複数のフライト９とを備えている。
【００３４】
また、フライトコンベヤ２のケーシング３は、図１に示す如く、地上付近で水平方向に延びる水平部分３ａと、地上付近から高所に向って傾斜方向に延びる傾斜部分３ｂとを備えており、水平部分３ａには、焼却灰ａをケーシング３内に受け入れる投入口３ｃが設けられ、また、傾斜部分３ｂの高所側端部には、焼却灰ａ及び異物ｂを排出する排出口３ｄが設けられている。前記排出口３ｄは、ケーシング３の高所側端部（下流側端部）の底板３ｅをケーシング３の長手方向及び幅方向に沿って切り欠くことにより形成されている。
【００３５】
而して、前記フライトコンベヤ２において、投入口３ｃからケーシング３内に投入された異物ｂを含む焼却灰ａは、ケーシング３内を周回移動するチェーン６に取り付けたフライト９により掻き取られ、ケーシング３の水平部分３ａ及び傾斜部分３ｂの底板３ｅ上を連続的に搬送された後、傾斜部分３ｂの高所側端部に設けた排出口３ｄから排出される。
【００３６】
一方、前記摺動式バースクリーン１は、図３〜図６に示す如く、フライトコンベヤ２のケーシング３の下流側底板３ｅの一部を切り欠いた箇所（ケーシング３の排出口３ｄ）の下方位置にフライトコンベヤ２のケーシング３と縁を切った状態で設置されたバースクリーン用ケーシング１０と、バースクリーン用ケーシング１０内に収容され、複数の長尺状のスクリーンバー１１′を焼却灰ａの搬送方向に沿う姿勢で且つ焼却灰ａの搬送方向と直交する水平方向に所定の間隔を空けて並設したバースクリーン１１と、バースクリーン用ケーシング１０内に収容支持され、バースクリーン１１の各スクリーンバー１１′をガタツキを持たせた状態で支持するスクリーン支持手段１２とを備えており、異物ｂを含む焼却灰ａがフライトコンベヤ２のフライト９によりバースクリーン１１の各スクリーンバー１１′上を搬送され、焼却灰ａの搬送中にバースクリーン１１の目（スクリーンバー１１′間の隙間）から焼却灰ａが落下すると共に、バースクリーン１１の目よりも大きい異物ｂがバースクリーン１１の下流側端から落下するようになっている。
【００３７】
具体的には、前記バースクリーン用ケーシング１０は、内方にバースクリーン１１及びスクリーン支持手段１２を収容支持するものであり、上面が開放されて下端部が二股状に形成されたボックス形状を呈している。
【００３８】
また、バースクリーン用ケーシング１０の二股部分は、図４に示す如く、何れも下面が開放された筒構造を呈しており、フライトコンベヤ２の搬送方向に沿って並設されている。この二股部分の上流側に位置する筒部分は、バースクリーン１１の各スクリーンバー１１′間から落下した焼却灰ａを排出する搬送物排出用筒部１０ａとなっており、搬送物排出用筒部１０ａの下面の開口が焼却灰ａを排出する搬送物用排出口１０ｅとなっている。また、二股部分の下流側に位置する筒部分は、バースクリーン１１の下流側端から落下した異物ｂを排出する異物排出用筒部１０ｂとなっており、異物排出用筒部１０ｂの下面の開口が異物ｂを排出する異物用排出口１０ｆとなっている。
【００３９】
更に、バースクリーン用ケーシング１０の搬送物排出用筒部１０ａの内方には、スクリーンバー１１′の上流側端部を支持する上流側水平支持部１０ｃ（図４参照）が、また、搬送物排出用筒部１０ａと異物排出用筒部１０ｂとの境界部分には、スクリーンバー１１′の下流側端部を支持する下流側水平支持部１０ｄ（図４参照）がそれぞれ設けられている。
【００４０】
そして、バースクリーン用ケーシング１０は、上面の開口がフライトコンベヤ２のケーシング３に形成した排出口３ｄに対向するように、フライトコンベヤ２のケーシング３の下流側端部の下方位置に配置されており、鋼材等の固定側部材に複数本のサポート部材１３を介して支持固定されている。
【００４１】
このとき、バースクリーン用ケーシング１０は、フライトコンベヤ２のケーシング３と縁を切った状態で設置されており、バースクリーン用ケーシング１０の上端部とフライトコンベヤ２のケーシング３の下端部との間は、フライトコンベヤ２のケーシング３の下端部に設けたゴム板製の飛散防止プレート１４により焼却灰ａがバースクリーン用ケーシング１０とフライトコンベヤ２のケーシング３との隙間から外部へ飛散しないようにシールされた状態となっている。
【００４２】
尚、バースクリーン用ケーシング１０の側壁には、内部を点検できるように複数の点検口が形成されており、各点検口は、点検口用扉１５により開閉可能となっている。
【００４３】
前記バースクリーン１１は、複数の長尺状のスクリーンバー１１′を焼却灰ａの搬送方向（フライトコンベヤ２のケーシング３の長手方向）に沿う姿勢で且つ焼却灰ａの搬送方向と直交する水平方向（フライトコンベヤ２のケーシング３の幅方向）に所定の間隔を空けて並設し、各スクリーンバー１１′間に焼却灰ａを落下させるスリット状の目（隙間）を形成することにより構成されており、バースクリーン用ケーシング１０内に設けた後述するスクリーン支持手段１２によりバースクリーン用ケーシング１０内にガタツキを持たせた状態で収容支持されている。
【００４４】
このバースクリーン１１の目の幅は、焼却灰ａ中に含まれている大きな異物ｂを除去できるように設定されている。ここで、焼却灰ａ中の大きな異物ｂとは、例えば、焼却灰ａの搬送中に焼却灰ａ中の異物ｂが再資源化処理装置内で詰まって再資源化処理装置の故障の原因となる大きさの異物ｂを言う。
【００４５】
また、各スクリーンバー１１′は、図５、図７及び図８に示す如く、長尺状の金属板により形成されており、フライトコンベヤ２のケーシング３の下流側端部の底板３ｅを切り欠いた箇所（ケーシング３の排出口３ｄ）に配置される傾斜部１１ａと、傾斜部１１ａの上流側端部に下向きに連設された上流側垂直部１１ｂと、傾斜部１１ａの下流側端部に下向きに連設された上流側垂直部１１ｂよりも長い下流側垂直部１１ｃと備えている。
【００４６】
更に、各スクリーンバー１１′の上流側垂直部１１ｂの下端部及び下流側垂直部１１ｃの下端部には、スクリーン支持手段１２の支持軸１８が遊嵌状態で挿通される貫通穴１１ｄがそれぞれ形成されている（図６参照）。また、各スクリーンバー１１′の上流側垂直部１１ｂの下端及び下流側垂直部１１ｃの下端には、バースクリーン用ケーシング１０に設けた上流側水平支持部１０ｃの上面及び下流側水平支持部１０ｄの上面を摺動し、各スクリーンバー１１′を上流側水平支持部１０ｃの上面及び下流側水平支持部１０ｄの上面で起立姿勢に保持するための水平支持板１６がそれぞれ設けられている（図６参照）。
【００４７】
そして、前記バースクリーン１１は、図５に示す如く、各スクリーンバー１１′の上面にそれぞれ設けられて異物ｂの噛み込みを防止する案内板１７を備えており、前記案内板１７は、平面形状が長尺状の三角形状を呈し、バースクリーン１１の上流側から下流側に向けて漸次細くなる形状となっている。各スクリーンバー１１′に三角形状の案内板１７を設けることによって、バースクリーン１１の案内板１７を設けた部分においては、バースクリーン１１の目の幅が上流側から下流側へ向って徐々に広くなるので、スクリーンバー１１′間に異物ｂが挟まり難くなる。
【００４８】
本実施形態においては、案内板１７は、金属板により平面形状が長尺状の三角形状に形成されており、長さがスクリーンバー１１′の傾斜部１１ａの長さの約半分の長さに設定され、スクリーンバー１１′の傾斜部１１ａの上流側端部から中間部に亘って傾斜部１１ａの上面と面一になるようにスクリーンバー１１′の上面に溶接により固着されている。
【００４９】
尚、上記の実施形態においては、バースクリーン１１の各スクリーンバー１１′を金属板により形成したが、他の実施形態においては、バースクリーン１１の各スクリーンバー１１′を金属棒又は金属パイプにより形成しても良い。この場合、各スクリーンバー１１′の上面に案内板１７を設けることは勿論である。
【００５０】
前記スクリーン支持手段１２は、バースクリーン１１の各スクリーンバー１１′をガタツキを持たせた状態で支持するものであり、図５及び図６に示す如く、バースクリーン１１の各スクリーンバー１１′に所定の間隔を空けてそれぞれ形成した二つの貫通穴１１ｄに遊嵌状態で挿通され、各スクリーンバー１１′を支持する水平姿勢の二本の支持軸１８と、前記二本の支持軸１８の両端部及び各スクリーンバー１１′間に位置する部分にそれぞれ遊嵌状態で嵌合された複数のパイプ状のスペーサ１９とを備え、各スクリーンバー１１′を二本の支持軸１８に沿って所定の距離だけ移動可能としている。
【００５１】
前記二本の支持軸１８は、その外径が各スクリーンバー１１′の貫通穴１１ｄの内径よりも小さく形成されており、バースクリーン用ケーシング１０内に設けた上流側水平支持部１０ｃの上方位置及び下流側水平支持部１０ｄの上方位置に配設され、バースクリーン用ケーシング１０に水平姿勢で着脱自在に架設されている。
【００５２】
即ち、二本の支持軸１８は、図６に示す如く、何れもその両端部がバースクリーン用ケーシング１０に形成した貫通穴に遊嵌状態で挿通され、バースクリーン用ケーシング１０の外面に着脱自在に設けた軸受２３に回転自在且つ抜き差し自在に支持されており、軸受２３をバースクリーン用ケーシング１０から取り外すことによって、バースクリーン用ケーシング１０から取り外せるようになっている。
【００５３】
前記軸受２３は、図６に示す如く、バースクリーン用ケーシング１０の側壁外面に溶接より固着したタップ座２４に螺着しているスタッドボルト２５に抜き差し自在に挿着される環状のフランジ部２３ａと、環状のフランジ部２３ａの内周縁部に溶接に固着され、支持軸１８の端部が回転自在且つ抜き差し自在に挿入される先端が閉塞された筒部２３ｂとを備えており、前記軸受２３は、フランジ部２３ａをスタッドボルト２５に挿着し、スタッドボルト２５にナット２６を締め付けることによって、バースクリーン用ケーシング１０の外面に取り付けられ、また、ナット２６を緩めることによって、バースクリーン用ケーシング１０から取り外すことができる。尚、図６において、２７はタップ座２４と軸受２３との間に介設した円板状のシール材である。
【００５４】
前記パイプ状のスペーサ１９は、その内径が支持軸１８の内径よりも大きく設定されていると共に、その外径が各スクリーンバー１１′に形成した貫通穴１１ｄの内径よりも大きく設定されている。
【００５５】
尚、二本の支持軸１８の両端部に嵌合されるパイプ状のスペーサ１９の長さは、バースクリーン用ケーシング１０の側壁と前記側壁に隣接するスクリーンバー１１′との間隔よりも短くなるように設定され、また、二本の支持軸１８の各スクリーンバー１１′間に位置する部分に嵌合されるパイプ状のスペーサ１９の長さは、各スクリーンバー１１′の設置間隔よりも短くなるように設定されている。
【００５６】
本実施形態においては、二本の支持軸１８の両端部に嵌合されるスペーサ１９の長さは、バースクリーン用ケーシング１０の側壁と前記側壁に隣接するスペーサ１９との間に１０ｍｍの間隔が形成されると共に、前記スペーサ１９と当該スペーサ１９に隣接するスクリーンバー１１′との間に１０ｍｍの間隔が形成されるように設定されている。また、二本の支持軸１８の各スクリーンバー１１′間に位置する部分に嵌合される各スペーサ１９の長さは、各スペーサ１９と各スクリーンバー１１′との間に１０ｍｍの間隔がそれぞれ形成されるように設定されている。
【００５７】
そして、前記スクリーン支持手段１２は、二本の支持軸１８に所定の数のスペーサ１９とスクリーンバー１１′とを交互に嵌合し、二本の支持軸１８の両端部をバースクリーン用ケーシング１０の対向する側壁外面に設けた軸受２３に回転自在に支持させることによって、バースクリーン１１の各スクリーンバー１１′をガタツキを持たせた状態で二本の支持軸１８に支持することができる。
【００５８】
上述した搬送選別装置Ａにおいて、フライトコンベヤ２の投入口３ｃからケーシング３内に投入された異物ｂを含む焼却灰ａは、ケーシング３内を周回移動するチェーン６に取り付けたフライト９により掻き取られ、ケーシング３の水平部分３ａ及び傾斜部分３ｂの底板３ｅ上を連続的に搬送される。
【００５９】
フライトコンベヤ２の排出口３ｄ側へ搬送された異物ｂを含む焼却灰ａは、バースクリーン１１上を摺動移動するフライト９によりバースクリーン１１上を移動し、その移動中においてバースクリーン１１の目（各スクリーンバー１１′間の間隔）及び両側端に位置するスクリーンバー１１′とバースクリーン用ケーシング１０の側壁との間隔よりも細かい焼却灰ａ及び異物ｂが各スクリーンバー１１′の間及び両側端に位置するスクリーンバー１１′とバースクリーン用ケーシング１０の側壁との間から落下し、バースクリーン用ケーシング１０の搬送物用排出口１０ｅから排出され、灰シュート２８を流下して灰ピット２０に貯留される。
【００６０】
また、バースクリーン１１上に残ったバースクリーン１１の目よりも大きい異物ｂは、フライト９により押されてバースクリーン１１上を移動し、バースクリーン１１の下流側端から落下し、バースクリーン用ケーシング１０の異物用排出口１０ｆから排出され、異物シュート２９を流下して異物ピット２１に貯留される。
【００６１】
ところで、冷却水により冷却された湿った焼却灰ａのように、焼却灰ａに粘着性があると、従来の固定式バースクリーンの場合には、固定式バースクリーンの隙間に焼却灰ａが徐々に固着、成長し、目詰まりを起こすことになる。そのため、定期的に固定式バースクリーンの隙間に固着した焼却灰ａを除去する作業が必要になる。
【００６２】
しかし、上述した搬送選別装置Ａにおいては、バースクリーン１１を形成する複数のスクリーンバー１１′をスクリーン支持手段１２によりガタツキを持たせた状態で支持しているため、異物ｂが混入している粘着性のある湿った焼却灰ａをバースクリーン１１上で搬送しても、バースクリーン１１にガタツキを持たせているので、バースクリーン１１に固着した焼却灰ａが成長する前に剥離され、バースクリーン１１の目詰まりを防止することができ、自浄機能を有することになる。
【００６３】
また、各スクリーンバー１１′の上面に異物ｂの噛み込みを防止する案内板１７をそれぞれ設けているため、バースクリーン１１のスクリーンバー１１′間の間隔が上流側から下流側に行くに従って漸次広くなり、しかも、バースクリーン１１にガタツキを持たせているので、焼却灰ａ中の異物ｂがスクリーンバー１１′間に挟まったとしても、異物ｂが下流側へ押されることによって、スクリーンバー１１′間から簡単に抜けることになり、異物ｂの噛み込みが少なくなる。
【００６４】
更に、バースクリーン１１を形成する複数のスクリーンバー１１′と、各スクリーンバー１１′にガタツキを持たせる筒状のスペーサ１９とを支持軸１８から取り外し可能としているため、スクリーンバー１１′の数量及びスペーサ１９の寸法を変更することによって、目開き寸法（隣接するスクリーンバー１１′間の間隔）を任意に調整することができると共に、目開き寸法の調整も容易に行うことができる。しかも、スクリーンバー１１′を二本の支持軸１８に固定していないので、交換も容易に行うことができる。
【００６５】
加えて、フライトコンベヤ２の排出口３ｄの下方位置に摺動式バースクリーン１を設置し、摺動式バースクリーン１の各スクリーンバー１１′の上面をフライトコンベヤ２のフライト９が摺動するようにしているため、従来の振動スクリーンやトロンメルのようにそれ自体を動かす動力を必要とすることがなく、摺動式バースクリーン１自体の動力が不要になる。
【００６６】
図９は本発明の実施形態に係る摺動式バースクリーン１を用いた搬送選別装置Ａの他のを示し、当該搬送選別装置Ａは、図９に示す搬送選別装置Ａのフライトコンベヤ２に替えて傾斜状のシュート２２を用いたものである。
【００６７】
即ち、前記搬送選別装置Ａは、異物ｂが混入している粉粒状の搬送物（異物ｂを含む焼却灰ａ）を搬送する傾斜状のシュート２２と、前記傾斜状のシュート２２の底板２２ａの一部を切り欠いた箇所に設置され、異物ｂが混入している搬送中の焼却灰ａから異物ｂを除去する摺動式バースクリーン１とを備えており、摺動式バースクリーン１の各スクリーンバー１１′の上面が傾斜状のシュート２２の底板２２ａを切り欠いた位置に配置され、各スクリーンバー１１′の上面を搬送物が自重により滑り落ちる構成となっている。
【００６８】
前記傾斜状のシュート２２は、ごみ焼却炉から排出されて冷却された異物ｂを含む焼却灰ａを受け入れて自重により搬送するものであり、シュート２２の下流側端部（低所側端部）の底板２２ａが切り欠かれて排出口２２ｂとなっている。
【００６９】
一方、前記摺動式バースクリーン１は、図４及び図５に示す摺動式バースクリーン１と同様構造に構成されており、バースクリーン用ケーシング１０と、バースクリーン用ケーシング１０内に収容され、複数の長尺状のスクリーンバー１１′焼却灰ａの搬送方向に沿う姿勢で且つ焼却灰ａの搬送方向と直交する水平方向に所定の間隔を空けて並設したバースクリーン１１と、バースクリーン用ケーシング１０内に収容支持され、バースクリーン１１の各スクリーンバー１１′をガタツキを持たせた状態で支持するスクリーン支持手段１２とを備えている。
【００７０】
前記バースクリーン用ケーシング１０は、バースクリーン１１の各スクリーンバー１１′間から落下した焼却灰ａを排出する搬送物用排出口１０ｅと、バースクリーン１１の下流側端から落下した異物ｂを排出する異物用排出口１０ｆとを有しており、傾斜状のシュート２２の底板２２ａの一部を切り欠いた箇所（排出口２２ｂ）の下方位置に傾斜状のシュート２２と縁を切った状態で設置されている。
【００７１】
また、バースクリーン１１及びスクリーン支持手段１２は、図４〜図６に示すバースクリーン１１及びスクリーン支持手段１２と同様構造に構成されており、図４〜図６に示すバースクリーン１１及びスクリーン支持手段１２と同じ部位・部材には、同一の参照番号を付し、その詳細な説明を省略する。
【００７２】
図９に示す搬送選別装置Ａにおいては、傾斜状のシュート２２内を自重により高所側から低所側へ滑り落ちて来た異物ｂを含む焼却灰ａは、傾斜状のシュート２２の底板２２ａからバースクリーン１１上に載り、バースクリーン１１上を滑り落ちる間にバースクリーン１１の目（各スクリーンバー１１′間の間隔）よりも細かい焼却灰ａ及び異物ｂが各スクリーンバー１１′の間から落下し、バースクリーン用ケーシング１０の搬送物用排出口１０ｅから排出され、灰シュート（図示省略）を流下して灰ピット（図示省略）に貯留される。
【００７３】
また、バースクリーン１１上に残ったバースクリーン１１の目よりも大きい異物ｂは、自重によりバースクリーン１１上を滑り落ち、バースクリーン１１の下流側端から落下し、バースクリーン用ケーシング１０の異物用排出口１０ｆから排出され、異物シュート（図示省略）を流下して異物ピット（図示省略）に貯留される。
【００７４】
図９に示す上述した搬送選別装置Ａにおいても、バースクリーン１１を形成する複数のスクリーンバー１１′をスクリーン支持手段１２によりガタツキを持たせた状態で支持し、また、各スクリーンバー１１′の上面に異物ｂの噛み込みを防止する案内板１７をそれぞれ設けているため、バースクリーン１１の目詰まりを防止することができて自浄機能を有すると共に、異物ｂの噛み込みが少なくなる。
【００７５】
また、各スクリーンバー１１′及びスペーサ１９を支持軸１８から取り外し可能としているため、スクリーンバー１１′の数量及びスペーサ１９の寸法を変更することによって、目開き寸法（隣接するスクリーンバー１１′間の間隔）を任意に調整することができると共に、目開き寸法の調整も容易に行うことができる。しかも、スクリーンバー１１′を二本の支持軸１８に固定していないので、交換も容易に行うことができる。
【００７６】
更に、摺動式バースクリーン１の各スクリーンバー１１′の上面が傾斜状のシュート２２の底板２２ａを切り欠いた位置に配置され、各スクリーンバー１１′の上面を焼却灰ａが自重により滑り落ちる構成としているため、従来の振動スクリーンやトロンメルのようにそれ自体を動かす動力を必要とすることがなく、摺動式バースクリーン１自体の動力が不要になる。
【００７７】
尚、図３及び図９に示す各搬送選別装置Ａにおいては、バースクリーン用ケーシング１０をフライトコンベヤ２のケーシング３又は傾斜状のシュート２２と縁を切った状態で設置しているため、バースクリーン用ケーシング１０を振動機（図示省略）で振動させることが可能となる。この場合には、異物ｂの除去をより効率的に行うことが可能となる。
【符号の説明】
【００７８】
Ａは搬送選別装置
１は摺動式バースクリーン
２はフライトコンベヤ
３はケーシング
３ｅは底板
１０はバースクリーン用ケーシング
１０ｅは搬送物用排出口
１０ｆは異物用排出口
１１はバースクリーン
１１′はスクリーンバー
１１ａは傾斜部
１１ｂは上流側垂直部
１１ｃは下流側垂直部
１２はスクリーン支持手段
１８は支持軸
１９はスペーサ
２２はシュート
２２ａは底板
【図１】
2020033801.tif 000003
【図２】
2020033801.tif 000004
【図３】
2020033801.tif 000005
【図４】
2020033801.tif 000006
【図５】
2020033801.tif 000007
【図６】
2020033801.tif 000008
【図７】
2020033801.tif 000009
【図８】
2020033801.tif 000010
【図９】
2020033801.tif 000011